(57)【要約】      （修正有）【課題】通気性を担保しマイクロフォンの集音部に入力される音質を向上せしめると共に、雑菌や口臭などからマイクロフォンを保護するマイクロフォンカバーを提供する。【解決手段】マイクロフォンの集音部と略同一形状に構成され、また、マイクロフォンの集音部に着脱自在に構成された和紙製の枠部材２の開口部６を、和紙製のカバー部材３で被覆する。【選択図】図１
0003164347.tif 000002
【実用新案登録請求の範囲】
【請求項１】
マイクロフォンの集音部と略同一形状に構成され、更に、同マイクロフォンの集音部に着脱自在に構成されると共に、所定の開口部を有する枠部材と、
該枠部材の前記開口部を被覆する和紙製のカバー部材とを備える
マイクロフォンカバー。
【請求項２】
前記枠部材は、互いに連結可能な第１の枠部材及び第２の枠部材とを有して構成されている
請求項１に記載のマイクロフォンカバー。
【請求項３】
前記第１の枠部材はマイクロフォンの上方から同マイクロフォンの集音部に装着可能に、前記第２の枠部材はマイクロフォンの下方から同マイクロフォンの集音部に装着可能に構成されると共に、
マイクロフォンの集音部に装着された第１の枠部材及び第２の枠部材が連結可能に構成された
請求項２に記載のマイクロフォンカバー。
【請求項４】
前記第１の枠部材はマイクロフォンの一方の側方から同マイクロフォンの集音部に装着可能に、前記第２の枠部材はマイクロフォンの他方の側方から同マイクロフォンの集音部に装着可能に構成されると共に、
マイクロフォンの集音部に装着された第１の枠部材及び第２の枠部材が連結可能に構成された
請求項２に記載のマイクロフォンカバー。
【請求項５】
前記枠部材は、和紙製である
請求項１、請求項２、請求項３または請求項４に記載のマイクロフォンカバー。
【請求項６】
前記枠部材は、前記カバー部材よりも膜厚が大きく高強度である
請求項１、請求項２、請求項３、請求項４または請求項５に記載のマイクロフォンカバー。
【考案の詳細な説明】
【技術分野】
【０００１】
本考案はマイクロフォンカバーに関する。詳しくは、マイクロフォンの集音部を被覆するマイクロフォンカバーに係るものである。
【背景技術】
【０００２】
従来からマイクロフォンはカラオケなど各種の用途に用いられている。
カラオケは、スピーカーから流れる伴奏に合わせて利用者がマイクロフォンを片手に歌うものであるが、使用されるマイクロフォンは、握り柄であるマイクロフォンのボディの先端に設けられたマイクロフォンの集音部を金属メッシュ製の丸いカバーで覆ったものが一般的である。
【０００３】
しかし、歌うときにはマイクロフォンを口に近づけるために、利用者の雑菌や口臭などがマイクロフォンの集音部に付着し易く、非衛生的で病気を伝染させる原因の一つにもなっていた。
【０００４】
そこで、マイクロフォンの集音部を外部から被服するマイクロフォンカバーとして、例えば、特許文献１には布やスポンジ製の使い捨てカバーが開示されており、また、例えば、特許文献２には合成樹脂製のカバーが開示されている。
【先行技術文献】
【特許文献】
【０００５】
【特許文献１】登録実用新案第３０１５８５９号公報
【特許文献２】特開平７−１０７５８４号公報
【考案の概要】
【考案が解決しようとする課題】
【０００６】
しかしながら、布やスポンジ製のマイクロフォンカバーの場合には、マイクロフォンの集音部に入力される音質が低下するといった問題が懸念される。また、合成樹脂製のマイクロフォンカバーの場合には、利用者の雑菌や口臭などからマイクロフォンを充分に保護できないといった問題が懸念される。
【０００７】
本考案は以上の点に鑑みて創案されたものであって、通気性を担保しマイクロフォンの集音部に入力される音質を担保すると共に、雑菌や口臭などから充分にマイクロフォンを保護することが可能なマイクロフォンカバーを提供することを目的とする。
【課題を解決するための手段】
【０００８】
上記の目的を達成するために、本考案のマイクロフォンカバーは、マイクロフォンの集音部と略同一形状に構成され、更に、同マイクロフォンの集音部に着脱自在に構成されると共に、所定の開口部を有する枠部材と、該枠部材の前記開口部を被覆する和紙製のカバー部材とを備える。
【０００９】
ここで、枠部材がマイクロフォンの集音部と略同一形状に構成されたことによって、マイクロフォンの集音部に強固に固着することが可能となる。また、枠部材が所定の開口部を有することによって、マイクロフォンの集音部の集音性を阻害しにくく、マイクロフォンの集音部に入力される音質の低下を抑制することができる。
【００１０】
更に、カバー部材が枠部材の開口部を被覆することによって、利用者の雑菌や口臭などからマイクロフォンを保護することができる。
【００１１】
また、和紙は通気性に優れると共に、粉塵等のゴミや唾液を通しにくいといった機能を有しており、カバー部材を和紙で製造することによって、マイクロフォンの集音部に入力される音質の低下を抑制すると同時に、マイクロフォンの集音部を清潔に保つことが可能となる。
【００１２】
また、枠部材が互いに着脱自在な第１の枠部材及び第２の枠部材を有して構成された場合には、マイクロフォンの集音部への取付性が向上し、多少複雑な形状にマイクロフォンの集音部に対しても容易に取り付けることができる様になる。
【００１３】
更に、枠部材を和紙で製造した場合には、枠部材でマイクロフォンの集音部を被覆した領域についても、マイクロフォンの集音部に入力される音質の低下を抑制すると同時に、マイクロフォンの集音部を清潔に保つことが可能となり、より一層充分に高音質と清潔さの向上が実現できることとなる。
【考案の効果】
【００１４】
本考案のマイクロフォンカバーでは、通気性を担保しマイクロフォンの集音部に入力される音質を担保すると共に、雑菌や口臭などから充分にマイクロフォンを保護することが可能となる。
【図面の簡単な説明】
【００１５】
【図１】本考案を適用したマイクロフォンカバーの一例を説明するための模式図である。
【図２】本考案を適用したマイクロフォンカバーをマイクロフォンに取り付けた状態を説明するための模式図である。
【図３】本考案を適用したマイクロフォンカバーの一例の変形例を説明するための模式図である。
【図４】本考案を適用したマイクロフォンカバーの他の一例を説明するための模式図である。
【図５】本発明を適用したマイクロフォンカバーの変形例を説明するための模式図である。
【考案を実施するための形態】
【００１６】
以下、考案を実施するための形態（以下、「実施の形態」と称する）について説明する。なお、説明は以下の順序で行う。
１．第１の実施の形態
２．第２の実施の形態
３．第３の実施の形態
４．変形例
【００１７】
＜１．第１の実施の形態＞
図１（ａ）は本考案を適用したマイクロフォンカバーの一例を説明するための模式図であり、図１（ｂ）は本考案を適用したマイクロフォンカバーの枠部材を説明するための模式図である。図２は本考案を適用したマイクロフォンカバーをマイクロフォンに取り付けた状態を説明するための模式図である。
【００１８】
ここで示すマイクロフォンカバー１は、和紙製の枠部材２と和紙製のカバー部材３とから構成されている。なお、図２及び図３では、見やすさの便宜を図るために、カバー部材の図示は省略している。
【００１９】
枠部材２は、マイクロフォン４の集音部５と略同一形状に構成されている。
本実施の形態では、集音部５の中央部分の直径が、上方部分や下方部分の直径よりも大きく構成されたマイクロフォン４に取り付けるために、枠部材２の中央部分の直径が枠部材２の上方部分の直径よりも大きくなる様に構成されている。
【００２０】
なお、枠部材２をマイクロフォン４の上方側からマイクロフォン４の集音部５に嵌め入れることを考慮すると、枠部材２の下方部分はマイクロフォン４の集音部５が通過する程度の直径とする必要がある。
【００２１】
また、枠部材２はマイクロフォン４の集音部５の全面を覆うのではなく、所定の開口部６を有して構成されている。更に、枠部材２はマイクロフォン４の集音部５に着脱自在に構成されている。
【００２２】
ここで、本実施の形態では、枠部材２が和紙で形成されている場合を例に挙げて説明を行っているが、枠部材２はマイクロフォン４の集音部５と略同一形状に構成されることで、マイクロフォンカバー１をマイクロフォン４の集音部５に強固に固着することができれば充分であり、必ずしも和紙で形成される必要はない。但し、枠部材２が和紙で製造されることによって、より一層充分に高音質と清潔さの向上が実現することとなるために、カバー部材３のみならず、枠部材２をも和紙で形成される方が好ましい。
【００２３】
また、カバー部材３は枠部材２を被覆する様に貼り合わせてある。なお、本実施の形態では、１枚の和紙で枠部材２の全体を被覆する様な場合を例に挙げて説明を行っているが、枠部材２の開口部６を被覆することができれば充分であり、開口部６毎に和紙を貼り付けても良い。
【００２４】
なお、枠部材２を構成する部材は、複数枚の和紙を重ねて強度を大きく（膜厚を大きく）しており、カバー部材３が一重の和紙から構成されていることを考慮すると、枠部材２の強度（膜厚）はカバー部材３の強度（膜厚）よりも大きいこととなる。このことによって、枠部材２はマイクロフォン４の集音部５への強固な固着が実現すると共に、カバー部材３は高音質を実現することとなる。
【００２５】
本考案を適用したマイクロフォンカバー１では、枠部材２がマイクロフォン４の集音部５と略同一形状に形成されているために、マイクロフォン４の集音部５に強固に固着することが可能である。また、枠部材２に開口部６が形成されているために、マイクロフォン４の集音部５の集音性を阻害することなく、高品位な音質を実現することができる。
【００２６】
また、本考案を適用したマイクロフォンカバー１では、枠部材２及びカバー部材３が和紙で形成されているために、マイクロフォン４の集音部５に入力される音質の低下を抑制すると同時に、マイクロフォン４の集音部５を清潔に保つことができる。
【００２７】
更に、図３で示す様に、マイクロフォンカバー１をマイクロフォン４の集音部５に装着した後に、和紙製の止め部材７で枠部材２の下方を止めることによって、枠部材２をより一層強固にマイクロフォン４の集音部５に固着することができる。
【００２８】
＜２．第２の実施の形態＞
図４（ａ）は本考案を適用したマイクロフォンカバー１の他の一例を説明するための模式図である。
【００２９】
ここで示すマイクロフォンカバー１は、和紙製の枠部材２（２Ａ及び２Ｂ）と和紙製のカバー部材とから構成されている。なお、図４（ａ）では、見やすさの便宜を図るために、カバー部材の図示を省略している。
【００３０】
枠部材２は、第１の枠部材２Ａと第２の枠部材２Ｂとで構成されている。また、枠部材２は、マイクロフォン４の集音部５と略同一形状に構成されている。
【００３１】
第１の枠部材２Ａは、マイクロフォン４の上方側からマイクロフォン４の集音部５に装着可能に構成されている。また、第２の枠部材２Ｂは、マイクロフォン４の下方側からマイクロフォン４の集音部５に装着可能に構成されている。そして、マイクロフォン４の集音部５に装着された第１の部材２Ａと第２の部材２Ｂとが連結されることとなる。
【００３２】
また、枠部材２（第１の枠部材２Ａ及び第２の枠部材２Ｂ）は、マイクロフォン４の集音部５の全面を覆うのではなく、所定の開口部６を有して構成されている。更に、枠部材２（第１の枠部材２Ａ及び第２の枠部材２Ｂ）は、マイクロフォン４の集音部５に着脱自在に構成されている。
【００３３】
ここで、本実施の形態では、枠部材２（第１の枠部材２Ａ及び第２の枠部材２Ｂ）が和紙で形成されている場合を例に挙げて説明を行っているが、枠部材２（第１の枠部材２Ａ及び第２の枠部材２Ｂ）はマイクロフォン４の集音部５と略同一形状に構成されることで、マイクロフォンカバー１をマイクロフォン４の集音部５に強固に固着することができれば充分であり、必ずしも和紙で形成される必要はない。但し、枠部材２（第１の枠部材２Ａ及び第２の枠部材２Ｂ）が和紙で製造されることによって、より一層充分に高音質と清潔さの向上が実現することとなるために、カバー部材３のみならず、枠部材２（第１の枠部材２Ａ及び第２の枠部材２Ｂ）をも和紙で形成される方が好ましい。
【００３４】
また、図示は省略しているが、第１の枠部材２Ａを被覆する様にカバー部材が貼り合わせられている。なお、第１の枠部材２Ａの開口部６をカバー部材で被覆することができれば充分であり、１枚の和紙で第１の枠部材２Ａの全体を被覆する様にしても良いし、開口部６毎に和紙を貼り付けても良い。
【００３５】
同様に、図示は省略しているが、第２の枠部材２Ｂを被覆する様にカバー部材が貼り合わせられている。なお、第２の枠部材２Ｂの開口部６をカバー部材で被覆することができれば充分であり、１枚の和紙で第２の枠部材２Ｂの全体を被覆する様にしても良いし、開口部６毎に和紙を貼り付けても良い。
【００３６】
なお、枠部材２（第１の枠部材２Ａ及び第２の枠部材２Ｂ）を構成する部材は、複数枚の和紙を重ねて強度を大きく（膜厚を大きく）しており、カバー部材が一重の和紙から構成されていることを考慮すると、枠部材２（第１の枠部材２Ａ及び第２の枠部材２Ｂ）の強度（膜厚）はカバー部材３の強度（膜厚）よりも大きいこととなる。このことによって、枠部材２（第１の枠部材２Ａ及び第２の枠部材２Ｂ）はマイクロフォン４の集音部５への強固な固着が実現すると共に、カバー部材は高音質を実現することとなる。
【００３７】
本考案を適用したマイクロフォンカバー１では、枠部材２（第１の枠部材２Ａ及び第２の枠部材２Ｂ）がマイクロフォン４の集音部５と略同一形状に形成されているために、マイクロフォン４の集音部５に強固に固着することが可能である。また、枠部材２（第１の枠部材２Ａ及び第２の枠部材２Ｂ）に開口部６が形成されているために、マイクロフォン４の集音部５の集音性を阻害することなく、高品位な音質を実現することができる。
【００３８】
また、本考案を適用したマイクロフォンカバー１では、枠部材２が第１の枠部材２Ａと第２の枠部材２Ｂとで構成され、マイクロフォン４の集音部５に各々別個に装着された後に、第１の枠部材２Ａと第２の枠部材２Ｂとが連結可能に構成されているために、マイクロフォン４の集音部５への取付性が向上することとなる。
【００３９】
更に、本考案を適用したマイクロフォンカバー１では、枠部材２（第１の枠部材２Ａ及び第２の枠部材２Ｂ）及びカバー部材が和紙で形成されているために、マイクロフォン４の集音部５に入力される音質の低下を抑制すると同時に、マイクロフォン４の集音部５を清潔に保つことができる。
【００４０】
＜３．第３の実施の形態＞
図４（ｂ）は本考案を適用したマイクロフォンカバー１の更に他の一例を説明するための模式図である。
【００４１】
ここで示すマイクロフォンカバー１は、和紙製の枠部材２（２Ａ及び２Ｂ）と和紙製のカバー部材とから構成されている。なお、図４（ｂ）では、見やすさの便宜を図るために、カバー部材の図示を省略している。
【００４２】
枠部材２は、第１の枠部材２Ａと第２の枠部材２Ｂとで構成されている。また、枠部材２は、マイクロフォン４の集音部５と略同一形状に構成されている。
【００４３】
第１の枠部材２Ａは、マイクロフォン４の一方側面（例えば、図４（ｂ）では左側側面）からマイクロフォン４の集音部５に装着可能に構成されている。また、第２の枠部材２Ｂは、マイクロフォン４の他方側側面（例えば、図４（ｂ）では右側側面）からマイクロフォン４の集音部５に装着可能に構成されている。そして、マイクロフォン４の集音部５に装着された第１の枠部材２Ａと第２の枠部材２Ｂとが連結されることとなる。
【００４４】
また、枠部材２（第１の枠部材２Ａ及び第２の枠部材２Ｂ）は、マイクロフォン４の集音部５の全面を覆うのではなく、所定の開口部６を有して構成されている。更に、枠部材２（第１の枠部材２Ａ及び第２の枠部材２Ｂ）は、マイクロフォン４の集音部５に着脱自在に構成されている。
【００４５】
ここで、本実施の形態では、枠部材２（第１の枠部材２Ａ及び第２の枠部材２Ｂ）が和紙で形成されている場合を例に挙げて説明を行っているが、枠部材２（第１の枠部材２Ａ及び第２の枠部材２Ｂ）はマイクロフォン４の集音部５と略同一形状に構成されることで、マイクロフォンカバー１をマイクロフォン４の集音部５に強固に固着することができれば充分であり、必ずしも和紙で形成される必要はない。但し、枠部材２（第１の枠部材２Ａ及び第２の枠部材２Ｂ）が和紙で製造されることによって、より一層充分に高音質と清潔さの向上が実現することとなるために、カバー部材３のみならず、枠部材２（第１の枠部材２Ａ及び第２の枠部材２Ｂ）をも和紙で形成される方が好ましい。
【００４６】
また、図示は省略しているが、第１の枠部材２Ａを被覆する様にカバー部材が貼り合わせられている。なお、第１の枠部材２Ａの開口部６をカバー部材で被覆することができれば充分であり、１枚の和紙で第１の枠部材２Ａの全体を被覆する様にしても良いし、開口部６毎に和紙を貼り付けても良い。
【００４７】
同様に、図示は省略しているが、第２の枠部材２Ｂを被覆する様にカバー部材が貼り合わせられている。なお、第２の枠部材２Ｂの開口部６をカバー部材で被覆することができれば充分であり、１枚の和紙で第２の枠部材２Ｂの全体を被覆する様にしても良いし、開口部６毎に和紙を貼り付けても良い。
【００４８】
なお、枠部材２（第１の枠部材２Ａ及び第２の枠部材２Ｂ）を構成する部材は、複数枚の和紙を重ねて強度を大きく（膜厚を大きく）しており、カバー部材が一重の和紙から構成されていることを考慮すると、枠部材２（第１の枠部材２Ａ及び第２の枠部材２Ｂ）の強度（膜厚）はカバー部材３の強度（膜厚）よりも大きいこととなる。このことによって、枠部材２（第１の枠部材２Ａ及び第２の枠部材２Ｂ）はマイクロフォン４の集音部５への強固な固着が実現すると共に、カバー部材は高音質を実現することとなる。
【００４９】
本考案を適用したマイクロフォンカバー１では、枠部材２（第１の枠部材２Ａ及び第２の枠部材２Ｂ）がマイクロフォン４の集音部５と略同一形状に形成されているために、マイクロフォン４の集音部５に強固に固着することが可能である。また、枠部材２（第１の枠部材２Ａ及び第２の枠部材２Ｂ）に開口部６が形成されているために、マイクロフォン４の集音部５の集音性を阻害することなく、高品位な音質を実現することができる。
【００５０】
また、本考案を適用したマイクロフォンカバー１では、枠部材２が第１の枠部材２Ａと第２の枠部材２Ｂとで構成され、マイクロフォン４の集音部５に各々別個に装着された後に、第１の枠部材２Ａと第２の枠部材２Ｂとが連結可能に構成されているために、マイクロフォン４の集音部５への取付性が向上することとなる。
【００５１】
更に、本考案を適用したマイクロフォンカバー１では、枠部材２（第１の枠部材２Ａ及び第２の枠部材２Ｂ）及びカバー部材が和紙で形成されているために、マイクロフォン４の集音部５に入力される音質の低下を抑制すると同時に、マイクロフォン４の集音部５を清潔に保つことができる。
【００５２】
＜４．変形例＞
上記した第１の実施の形態〜第３の実施の形態では、上方部分や下方部分の直径よりも中央部分の直径が大きく構成された集音部５を有するマイクロフォン４を例に挙げて説明を行っているが、マイクロフォン４の形状はいかなるものであっても良い。なお、その他のマイクロフォン４の形状としては、例えば、図５（ａ）や図５（ｂ）に示す様なものが挙げられる。
【符号の説明】
【００５３】
１    マイクロフォンカバー
２    枠部材
２Ａ  第１の枠部材
２Ｂ  第２の枠部材
３    カバー部材
４    マイクロフォン
５    集音部
６    開口部
７    止め部材
【図１】
0003164347.tif 000003
【図２】
0003164347.tif 000004
【図３】
0003164347.tif 000005
【図４】
0003164347.tif 000006
【図５】
0003164347.tif 000007